(57)【要約】      （修正有）【課題】氏名などの個人を特定するための欄はコンピュータ入力などができて読みやすく、採用決定に必要な事項は人事担当者に強く印象づけることができるようにした履歴書用紙を提供する。【解決手段】規格判サイズの用紙を中央で２つ折りにしたときの一側方の頁となる領域には、個人を特定するための情報を記入する欄１１、１２、１３、１４、１５を横書き形式で設ける。また、他側方の頁となる領域には、求人の採用を決定するための情報を記入する欄２０、２１、２２Ａ、２２Ｂを縦書き形式で設けるとともに、採用者記入欄２４を横書き形式で設ける。【選択図】図１
0003171394.tif 000002
【実用新案登録請求の範囲】
【請求項１】
規格判サイズの用紙を中央で２つ折りにしたときの一側方の頁となる領域には、個人を特定するための情報を記入する欄が横書き形式で設けられている一方、
上記２つ折りにしたときの他側方の頁となる領域には、求人の採用を決定するための情報を記入する欄が縦書き形式で設けられるとともに、採用者記入欄が横書き形式で設けられていることを特徴とする履歴書用紙。
【請求項２】
上記個人を特定するための情報を記入する欄が、氏名・性別記入欄、生年月日記入欄、現住所記入欄、連絡先記入欄及び学歴・職歴記入欄であり、
上記求人の採用を決定するための情報を記入する欄が、免許・資格記入欄、求人に対する志望の動機を記載する志望動機記入欄、職務に対する自己の資質・能力及び自己の趣味や特技を記載する自己紹介記入欄である請求項１記載の履歴書用紙。
【請求項３】
上記２つ折りにしたときの他側方の頁となる領域には、職種、給与及び勤務時間に対する希望を記入する希望事項記入欄が横書き形式で更に設けられている請求項１記載の履歴書用紙。
【請求項４】
上記免許・資格記入欄、志望動機記入欄及び自己紹介記入欄が手書きによって記入されるようになした請求項１記載の履歴書用紙。
【考案の詳細な説明】
【技術分野】
【０００１】
本考案は履歴書用紙に関し、特に氏名などの個人を特定するための欄はコンピュータ入力などができて読みやすく、採用決定に必要な事項は人事担当者に強く印象づけることができるようにした履歴書用紙に関する。
【背景技術】
【０００２】
就職や転職にあたっては履歴書が求められることが多い。この履歴書用紙については日本工業規格（ＪＩＳ  Ｚ  ８３０３）の規格に準拠した様式のものが一般的である。例えば、Ｂ４判サイズの用紙をＢ５判サイズになるように２つ折りにし、左頁には、写真貼付欄、氏名・性別記入欄、生年月日記入欄、現住所記入欄、及び連絡先記入欄を枠取りして設ける一方、右頁には、免許・資格記入欄、志望動機記入欄、自己紹介記入欄、希望事項記入欄及び採用者記入欄を枠取りして設けた形式の履歴書用紙が知られている（特許文献１、特許文献２）。
【０００３】
最近、インターネットの普及に伴い、履歴書用紙のデータをパソコンにダウンロードしてディスプレイに表示し、表示された履歴書用の各欄に必要な事項を入力してプリントウアウトすることによって履歴書を製作することが行われている（特許文献３）。
コンピュータ入力された履歴書は文字が整っていて美しく、多数の履歴書を見る必要のある人事担当者にとっては見やすいという利点がある。
【先行技術文献】
【特許文献】
【０００４】
【特許文献１】実用新案登録第３０７７３３９号公報
【特許文献２】実用新案登録第３１６７５８２号公報
【特許文献３】特開２００６−１６３６７７号公報
【考案の開示】
【考案が解決しようとする課題】
【０００５】
しかし、従来の履歴書では文字がコンピュータ入力されて見やすいものの、ＪＩＳ規格に準拠した様式のものがほとんどであり、応募者の適応性を調査する場合に人事担当者は履歴書の全ての欄を読む必要があって煩わしく、応募者にとっても履歴書だけで人事担当者に印象づけることが難しいという問題があった。
【０００６】
本考案はかかる問題点に鑑み、氏名などの個人を特定するための欄はコンピュータ入力などができて読みやすく、採用決定に必要な事項は人事担当者に強く印象づけることができるようにした履歴書用紙を提供することを課題とする。
【課題を解決するための手段】
【０００７】
そこで、本考案に係る履歴書用紙は、規格判サイズの用紙を中央で２つ折りにしたときの一側方の頁となる領域には、自己を特定するための情報を記入する欄が横書き形式で設けられている一方、上記２つ折りにしたときの他側方の頁となる領域には、求人の採用を決定するための情報を記入する欄が縦書き形式で設けられるとともに、採用者記入欄が横書き形式で設けられていることを特徴とする。
【０００８】
本考案の特徴の１つは、２つ折りの一側方の頁には自己特定のための情報記入欄を横書き形式で設け、他側方の頁には求人の採用決定のための情報記入欄を縦書き形式で設るようにした点にある。
【０００９】
これにより、人事担当者には採用を決定するのに必要な事項が縦書きになっていて直ぐに分かるので、応募者が多い場合にも履歴書の全てを読む必要がなく、縦書きの欄のみを見れば採用者を概ね決定することができ、人事担当者の負担が少ない。
【００１０】
また、本考案の第２の特徴は、２つ折りの一側方の頁に自己特定のための情報記入欄を横書き形式で設けるようにした点にある。これにより、応募者の氏名などについてはコンピュータなどで印字することができて読みやすく、これによっても人事担当者の負担を少なくできる。
【００１１】
ここで、自己を特定するための情報を記入する欄には、氏名・性別記入欄、生年月日記入欄、現住所記入欄、連絡先記入欄及び学歴・職歴記入欄を挙げることができる。
また、求人の採用を決定するための情報を記入する欄には、免許・資格記入欄、求人に対する志望の動機を記載する志望動機記入欄、職務に対する自己の資質・能力及び自己の趣味や特技を記載する自己紹介記入欄を挙げることができる。
【００１２】
また、求人の採用を決定する情報を記入する欄として、職種、給与及び勤務時間に対する希望を記入する希望事項記入欄が設けられることがあるが、免許・資格記入欄、志望動機記入欄や自己紹介記入欄に比較してその重要性は低い。そこで、２つ折りにしたときの他側方の頁となる領域には、職種、給与及び勤務時間に対する希望を記入する希望事項記入欄を横書き形式で更に設けるのがよい。
【００１３】
また、免許・資格記入欄、志望動機記入欄及び自己紹介記入欄を横書き形式とすると、コンピュータ入力による印字がし難く、手書きにならざるをえない。手書き文字は求人に対する応募者の個性がよくあらわれており、採用決定の１要素として重要である。
【００１４】
他方、氏名・性別記入欄、生年月日記入欄、現住所記入欄、連絡先記入欄及び学歴・職歴記入欄は横書き形式としているので、コンピュータ入力によって文字を印字することができる。そこで、本発明に係る履歴書用紙のデータをコンピュータにダウンロードしてディスプレイに表示し、履歴書用紙中の横書き形式の記入欄に文字をコンピュータ入力し、履歴書用紙をプリントアウトできるように構成するのがよい。
【図面の簡単な説明】
【００１５】
【図１】本考案に係る履歴書用紙の好ましい実施形態を示す図である。
【図２】上記履歴書用紙の左頁を示す図である。
【図３】上記履歴書用紙の右頁を示す図である。
【考案を実施するための形態】
【００１６】
以下、本考案を図面に示す具体例に基づいて詳細に説明する。図１ないし図３は本考案に係る履歴書用紙の好ましい実形態を示す。図において、履歴書用紙は例えばＢ４版サイズで白色の用紙で、その中央でＢ５判サイズとなるように２つ折りにできるようになっている。
【００１７】
２つ折りしたときの左頁となる領域には、個人を特定するための情報を記入する欄、具体的には写真貼付欄１０、氏名・性別記入欄１１、生年月日記入欄１２、現住所記入欄１３、連絡先記入欄１４及び学歴・職歴記入欄１５が横書き形式の枠を印刷することによって設けられている。
【００１８】
写真貼付欄１０の四隅、氏名・性別記入欄１１の上側左右のコーナー部分、現住所記入欄１３の右側コーナー部分、連絡先記入欄１４の下側左右のコーナー部分、学歴・職歴記入欄１５の四隅は角部をカットされて、柔らかい印象の記入欄となるように構成されている。
【００１９】
また、２つ折りしたときに右頁となる領域には、求人の採用を決定するための情報を記入する欄、具体的には免許・資格記入欄２０、求人に対する志望の動機を記載する志望動機記入欄２１、職務に対する自己の資質・能力を記入する自己ＰＲ記入欄（自己紹介記入欄）２２Ａ及び趣味や特技を記入する趣味・特技記入欄（自己紹介記入欄）２２Ｂが縦書き形式の枠を印刷することによって設けられている。
【００２０】
これらの縦書き形式の欄２０、２１、２２Ａ、２２Ｂの下側には、職種、給与、勤務時間、勤務地などと、最寄り駅、扶養家族、配偶者、配偶者の扶養義務を記入する本人希望事項記入欄２３及び採用者記入欄２４が横書き形式の枠を印刷することによって設けられている。
【００２１】
本例の用紙を用いて履歴書を作成する場合、本例の履歴書用紙を予めデータ化しておき、このデータをインターネット回線を通してコンピュータにダウンロードし、あるいは上記のデータをコンパクトディスクやＩＣチップなどに格納しておき、コンピュータに読み込ませ、ディスプレイに図１に示す用紙全体を表示させるか、図２に示される２つ折りにしたときの左側頁の領域及び図３に示される右側頁の領域を別々に表示させる。
【００２２】
次に、ポインターを左側頁の領域の、氏名・性別記入欄１１、生年月日記入欄１２、現住所記入欄１３、連絡先記入欄１４及び学歴・職歴記入欄１５の枠内に移動させ、キーボードなどを利用して文字入力する。このとき、これらの欄１１〜１５が横書き形式であるので、初心者であっても簡単に文字入力をすることができる。
【００２３】
同様に、ポインターを右側頁の領域の、本人希望記入欄２３の枠内に移動させ、キーボードなどを利用して文字入力する。
【００２４】
他方、右側頁の領域の、免許・資格記入欄２０、志望動機記入欄２１、自己ＰＲ記入欄２２Ａ及び趣味・特技記入欄２２Ｂは縦書き形式で、キーボードなどを用いた文字入力は難しく、手書きで文字を記入するので、空欄のままとする。
【００２５】
このようにして作成した履歴書をプリンターでＢ４判サイズの用紙にプリントアウトし、得られた用紙の右側頁の領域の、免許・資格記入欄２０、志望動機記入欄２１、自己ＰＲ記入欄２２Ａ及び趣味・特技記入欄２２Ｂを手書きで記入すると、本例の用紙を利用した履歴書が完成する。
【００２６】
以上のように、２つ折りの一側方の頁には自己特定のための情報記入欄を横書き形式で設け、他側方の頁には求人の採用決定のための情報記入欄を縦書き形式で設けるようにしたので、人事担当者には採用を決定するのに必要な事項が縦書きになっていて直ぐに分かり、応募者が多い場合にも履歴書の全てを読む必要がなく、縦書きの欄のみを見れば採用者を概ね決定することができ、人事担当者の負担が少ない。
【００２７】
特に、免許・資格記入欄、志望動機記入欄及び自己紹介記入欄を横書き形式とし、手書きで記入するようにしたので、手書き文字に応募者の個性がよくあらわれており、採用決定の１要素として採用しやすい。
【００２８】
また、２つ折りの一側方の頁に自己特定のための情報記入欄を横書き形式で設けるようにしたので、応募者の氏名などについてはコンピュータなどで印字することができて読みやすく、これによっても人事担当者の負担を少なくできる。
【００２９】
なお、上記の例では横書きの欄に文字をキーボード入力するようにしたが、手書きで記入するようにしてもよい。
【符号の説明】
【００３０】
１１      氏名・性別記入欄
１２      生年月日記入欄
１３      現住所記入欄
１４      連絡先記入欄
１５      学歴・職歴記入欄
２０      免許・資格記入欄
２１      志望動機記入欄
２２Ａ      自己ＰＲ記入欄（自己紹介記入欄）
２２Ｂ      趣味・特技記入欄（自己紹介記入欄）
２３      本人希望記入欄
２４      採用者記入欄
【図１】
0003171394.tif 000003
【図２】
0003171394.tif 000004
【図３】
0003171394.tif 000005